(57)【要約】【課題】色空間Ｌａｂ又は色空間ｓＹＣＣのグレースケール情報の送信が可能であって、ユーザニーズに合致したグレースケール情報の通信を確実に実行することができる通信制御方法を提供する。【解決手段】受信機から送信機に対して、色空間ＬａｂでのＪＰＥＧ符号化情報の受信機能及びフルカラー情報の受信機能の有無、色空間ｓＹＣＣでのＪＰＥＧ符号化情報の受信機能の有無及びフルカラー情報の受信機能の有無を通知する。また、送信機から受信機に対して、色空間ＬａｂでのＪＰＥＧ符号化情報又はフルカラー情報の送信、色空間ｓＹＣＣでのＪＰＥＧ符号化情報又はフルカラー情報の送信を指定する。ここで、送信機が、色空間Ｌａｂでのグレースケール情報を送信する場合は色空間Ｌａｂ、色空間ｓＹＣＣでのグレースケール情報を送信する場合は色空間ｓＹＣＣでのＪＰＥＧ符号化情報の送信を指定する。【選択図】　図１
2004140462.tif 000002
【特許請求の範囲】
【請求項１】
カラー情報又はグレースケール情報を通信する通信制御方法において、
受信機から送信機に対して、
色空間ＬａｂでのＪＰＥＧ符号化情報の受信機能の有無を通知し、
色空間Ｌａｂでのフルカラー情報の受信機能の有無を通知し、
色空間ｓＹＣＣでのＪＰＥＧ符号化情報の受信機能の有無を通知し、
色空間ｓＹＣＣでのフルカラー情報の受信機能の有無を通知し、
前記送信機から前記受信機に対して、
色空間ＬａｂでのＪＰＥＧ符号化情報の送信を指定し、
色空間Ｌａｂでのフルカラー情報の送信を指定し、
色空間ｓＹＣＣでのＪＰＥＧ符号化情報の送信を指定し、
色空間ｓＹＣＣでのフルカラー情報の送信を指定する通信制御方法であって、前記送信機が、色空間Ｌａｂでのグレースケール情報を送信する場合は、前記受信機に対して色空間ＬａｂでのＪＰＥＧ符号化情報の送信を指定し、色空間ｓＹＣＣでのグレースケール情報を送信する場合は、前記受信機に対して色空間ｓＹＣＣでのＪＰＥＧ符号化情報の送信を指定する
ことを特徴とする通信制御方法。
【発明の詳細な説明】
【０００１】
【発明の属する技術分野】
本発明は、ファクシミリ装置における通信制御、特に、カラー情報を通信可能なファクシミリ装置においてグレースケール情報を通信制御することに関する。
【０００２】
【従来の技術】
従来のファクシミリ装置は、モノクロ通信を実行するファクシミリ装置が主流であった。しかしながら、最近は、インクジェットプリンタ、デジタルカメラ及びパーソナルコンピュータ等の普及に伴い、カラー情報の取り扱いが急増してきた。このような状況で、カラー通信のニーズも急速に高まってきた。
【０００３】
ここで、現在のＩＴＵ−Ｔの勧告について説明する。カラー情報の送信はＩＴＵ−Ｔ勧告Ｔ．８２で規定されているＪＰＥＧ符号化により、ＩＴＵ−Ｔ勧告Ｔ．４２の色空間Ｌａｂでフルカラー情報の送信を実行していた。この方法により、グレースケール情報の送信も行うことができる。尚、この送信におけるグレースケール情報は色空間ＬａｂのＬ成分が用いられていた。
【０００４】
一方で、最近、デジタルカメラで撮影したカラーファイル情報をファクシミリ送信したいというニーズも急増している。ここで、デジタルカメラでの色空間は、ｓＹＣＣが用いられている。
【０００５】
【発明が解決しようとする課題】
しかしながら、従来のファクシミリ装置では、色空間Ｌａｂを用いてグレースケール情報やフルカラー情報の送信が実行できるものの、色空間ｓＹＣＣを用いた場合はフルカラー送信しか指定できないという欠点があった。すなわち、グレースケール情報の送信は、色空間ＬａｂのＬ成分のみでしか行うことができないという欠点があった。
【０００６】
本発明は、このような事情を考慮してなされたものであり、色空間Ｌａｂ又は色空間ｓＹＣＣのグレースケール情報の送信が可能であって、ユーザニーズに合致したグレースケール情報の通信を確実に実行することができる通信制御方法を提供することを目的とする。
【０００７】
【課題を解決するための手段】
上記課題を解決するために、本発明に係る通信制御方法は、カラー情報又はグレースケール情報を通信する通信制御方法において、受信機から送信機に対して、色空間ＬａｂでのＪＰＥＧ符号化情報の受信機能の有無を通知し、色空間Ｌａｂでのフルカラー情報の受信機能の有無を通知し、色空間ｓＹＣＣでのＪＰＥＧ符号化情報の受信機能の有無を通知し、色空間ｓＹＣＣでのフルカラー情報の受信機能の有無を通知し、前記送信機から前記受信機に対して、色空間ＬａｂでのＪＰＥＧ符号化情報の送信を指定し、色空間Ｌａｂでのフルカラー情報の送信を指定し、色空間ｓＹＣＣでのＪＰＥＧ符号化情報の送信を指定し、色空間ｓＹＣＣでのフルカラー情報の送信を指定する通信制御方法であって、前記送信機が、色空間Ｌａｂでのグレースケール情報を送信する場合は、前記受信機に対して色空間ＬａｂでのＪＰＥＧ符号化情報の送信を指定し、色空間ｓＹＣＣでのグレースケール情報を送信する場合は、前記受信機に対して色空間ｓＹＣＣでのＪＰＥＧ符号化情報の送信を指定することを特徴とする。
【０００８】
【発明の実施の形態】
以下、図面を参照して、本発明の実施形態に係る通信制御を行うファクシミリ装置の詳細について説明する。
【０００９】
＜第１の実施形態＞
図１は、本発明の第１の実施形態に係るファクシミリ装置の構成を示すブロック図である。図１において、２６は、バスである。また、２は、ＮＣＵ（網制御装置）である。さらに、４は、電話機である。
【００１０】
ＮＣＵ２は、電話網をデータ通信等に使用するために電話網からの電話回線２ａの端末に接続し、電話交換網の接続制御を行ったり、データ通信路への切り換えを行ったり、ループの保持を行うものである。また、ＮＣＵ２は、バス２６からの制御により、電話回線２ａを電話機４側（２ｂ）に接続（ＣＭＬオフ）したり、電話回線２ａをファクシミリ装置側（２ｃ）に接続（ＣＭＬオン）するものである。尚、通常の状態では、電話回線２ａは電話機４側に接続されている。
【００１１】
１２は、加算回路であり、信号線８ａの情報と信号線１０ａの情報を入力し、加算した結果を信号線１２ａに出力する。また、６は、ハイブリッド回路であり、送信系の信号と受信系の信号とを分離し、加算回路１２からの送信信号をＮＣＵ２経由で電話回線２ａに送出するとともに、相手側からの信号をＮＣＵ２経由で受け取って信号線６ａ経由で変復調器８に送るものである。
【００１２】
８は、変復調器であって、ＩＴＵ−Ｔ勧告Ｖ．８、Ｖ．２１、Ｖ．２７ｔｅｒ、Ｖ．２９、Ｖ．１７、Ｖ．３４に基づいた変調及び復調を行うものであり、バス２６の制御により各伝送モードが指定される。変復調器８は、バス２６からの送信信号を入力して変調データを信号線８ａに出力するとともに、信号線６ａに出力されている受信信号を入力して復調データをバス２６に出力する。また、１０は、発呼回路であり、バス２６からの信号により、電話番号情報を入力して信号線１０ａにＤＴＭＦ（Ｄｉａｌ　Ｔｏｎｅ　Ｍｕｌｔｉ　Ｆｒｅｑｕｅｎｃｙ）の選択信号を出力する。
【００１３】
１４は、カラー読み取り可能な読取回路であり、読み取りデータをバス２６に出力する。また、１６は、カラー記録可能な記録回路であり、バス２６に出力されている情報を順次１ライン毎に記録する。さらに、１８は、メモリ回路であり、ワーク用のメモリ（ＲＡＭ）、読み取りデータの生情報、符号化した情報等を格納したり、受信情報や復号化した情報等をバス２６を介して格納するために使用される。
【００１４】
２０は、操作部であり、ワンタッチダイヤル、短縮ダイヤル、テンキー、「＊」キー、「＃」キー、スタートキー、ストップキー、セットキー、カラー情報の送信を選択するキー、送信する色空間を選択するキー、その他のファンクションキーがあり、押下されたキー情報はバス２６に出力される。また、操作部２０には、表示部があって、バス２６に出力されている情報を入力し、表示することができる。
【００１５】
２２は、ＣＰＵ（中央処理装置）であり、ファクシミリ全体の制御をしたり、ファクシミリ伝送制御手順を実行するが、その制御プログラムは、ＲＯＭ２４に格納される。
【００１６】
２８は、カードインタフェースである。また、３０は、カードインタフェースに接続（挿入）されるコンパクトフラッシュ（登録商標）カードである。さらに、３２は、ネットワークインタフェースであり、ＬＡＮ３３に接続される。
【００１７】
図２は、本発明の第１の実施形態において用いられる既存の又は新規にＩＴＵ−Ｔ勧告Ｔ．３０に追加するプロトコルを示す図である。
【００１８】
図２に示すように、ＤＩＳ／ＤＴＣ信号のＦＩＦのビット６８により、色空間ＬａｂでのＪＰＥＧ受信機能の有無を通知し、ＤＣＳ信号のＦＩＦのビット６８により、色空間ＬａｂでのＪＰＥＧ送信を指定をする。
【００１９】
また、ＤＩＳ／ＤＴＣ信号のＦＩＦのビット６９により、色空間はＬａｂであるフルカラー受信機能の有無を通知し、ＤＣＳ信号のＦＩＦのビット６９により、色空間Ｌａｂでのフルカラー送信を指定をする。
【００２０】
ＤＩＳ／ＤＴＣ信号のＦＩＦのビットＸにより、色空間ｓＹＣＣでのＪＰＥＧ受信機能の有無を通知し、ＤＣＳ信号のＦＩＦのビットＸにより、色空間ｓＹＣＣでのＪＰＥＧ送信を指定をする。
【００２１】
また、ＤＩＳ／ＤＴＣ信号のＦＩＦのビットＸ＋１により、色空間はｓＹＣＣであるフルカラー受信機能の有無を通知し、ＤＣＳ信号のＦＩＦのビットＸ＋１により、色空間ｓＹＣＣでのフルカラー送信を指定をする。
【００２２】
一方、図１において、２４は、制御プログラムを格納するためのＲＯＭである。このＲＯＭ２４には、カラーファイル情報を通信可能なファクシミリ装置おいて、受信機から送信機に、色空間ＬａｂでのＪＰＥＧ符号化情報の受信機能の有無を通知する手順、色空間がＬａｂであるフルカラー情報の受信機能の有無を通知する手順、色空間ｓＹＣＣでのＪＰＥＧ符号化情報の受信機能の有無を通知する手順、色空間がｓＹＣＣであるフルカラー情報の受信機能の有無を通知する手順、送信機から受信機に、色空間ＬａｂでのＪＰＥＧ符号化情報の送信を指定する手順、色空間がＬａｂであるフルカラー情報の送信を指定する手順、色空間ｓＹＣＣでのＪＰＥＧ符号化情報の送信を指定する手順、色空間がｓＹＣＣであるフルカラー情報の送信を指定する手順を実行するためのプログラムであって、送信機が、色空間Ｌａｂでのグレースケール情報を送信時は、色空間ＬａｂでのＪＰＥＧ符号化情報の送信を指定し、色空間がＬａｂであるフルカラー情報の送信を指定せず、一方、色空間ｓＹＣＣでのグレースケール情報を送信時は、色空間ｓＹＣＣでのＪＰＥＧ符号化情報の送信を指定し、色空間がｓＹＣＣであるフルカラー情報の送信を指定しないことを特徴とする制御プログラムが格納されている。
【００２３】
図３〜６は、本発明の第１の実施形態に係るファクシミリ装置における通信制御の流れを説明するためのフローチャートである。
【００２４】
まず、図３に示すように、バス２６を介して、メモリ１８をイニシャライズ（初期化）する（ステップＳ２）。次に、バス２６を介して、操作部２０の表示部をクリアにする（ステップＳ４）。さらに、バス２６を介して、ＮＣＵ２のＣＭＬをオフにする（ステップＳ６）。
【００２５】
次に、ファクシミリ送信が選択されたか否かが判断される（ステップＳ８）。
その結果、ファクシミリ送信が選択された場合（Ｙｅｓ）、ステップＳ１４に進み、ファクシミリ送信が選択されていない場合（Ｎｏ）、ステップＳ１０に進む。
【００２６】
ステップＳ１０では、ファクシミリ受信が選択されたか否かが判断される。その結果、ファクシミリ受信が選択された場合（Ｙｅｓ）、ステップＳ６６に進み、ファクシミリ受信が選択されていない場合（Ｎｏ）、その他の処理をする（ステップＳ１２）。
【００２７】
［ファクシミリ送信］
ステップＳ１４では、バス２６を介して、ＮＣＵ２のＣＭＬをオンにする。そして、発呼回路１０を使用して、指定された宛先へ発呼する（ステップＳ１６）。さらに、前手順が行われる（ステップＳ１８）。
【００２８】
次いで、カラー情報の送信が選択されたか否かが判断される（ステップＳ２０）。その結果、カラー情報の送信が選択された場合（Ｙｅｓ）はステップＳ２４に進み、カラー情報の送信が選択されていない場合（Ｎｏ）はステップＳ２２に進む。
【００２９】
ステップＳ２２では、グレースケール情報の送信が選択されたか否かが判断される。その結果、グレースケール情報の送信が選択された場合（Ｙｅｓ）はステップＳ４２に進み、グレースケール情報の送信が選択されていない場合（Ｎｏ）はステップＳ６０に進む。
【００３０】
図４に示すように、ステップＳ２２でカラー情報の送信が選択された場合、ステップＳ２４では色空間の選択が判断される。その結果、色空間がＬａｂであると判断された場合はステップＳ２６に進み、色空間がｓＹＣＣであると判断された場合はステップＳ３４に進む。
【００３１】
具体的には、ステップＳ２６では、ＤＩＳ信号のＦＩＦのビット６８及びビット６９がともに１であるか否かが判断される。その結果、両方ともビットが１であると判断された場合（Ｙｅｓ）はステップＳ２８に進み、それ以外の場合（Ｎｏ）はステップＳ６に戻る。
【００３２】
ステップＳ２８では、残りの前手順が行われる。ここでは、ＤＣＳ信号のＦＩＦの６８ビット及び６９ビットを１にする。次いで、色空間ＬａｂでのフルカラーＪＰＥＧ送信が実行される（ステップＳ３０）。そして、後手順が行われ（ステップＳ３２）、ステップＳ６に戻る。
【００３３】
一方、ステップＳ２４でｓＹＣＣの色空間が選択された場合は、ＤＩＳ信号のＦＩＦのビットＸ及びビットＸ＋１がともに１であるか否かが判断される（ステップＳ３４）。その結果、両方ともビットが１である場合（Ｙｅｓ）はステップＳ３６に進み、それ以外の場合（Ｎｏ）はステップＳ６に戻る。
【００３４】
ここで、ステップＳ３６では、残りの前手順が行われる。すなわち、ここでは、ＤＣＳ信号のＦＩＦのビットＸ及びビットＸ＋１を１にする。さらに、色空間ｓＹＣＣでのフルカラーＪＰＥＧ送信の実行が行われる（ステップＳ３８）。そして、後手順が行われる（ステップＳ４０）。
【００３５】
また、図３のステップＳ２０でグレースケール情報の送信が選択されたと判断された場合、図５に示すように、色空間の選択が判断される（ステップＳ４２）。その結果、色空間Ｌａｂであると判断された場合はステップＳ４４に進み、色空間ｓＹＣＣであると判断された場合はステップＳ５２に進む。
【００３６】
ステップＳ４４では、ＤＩＳ信号のＦＩＦのビット６８が１であるか否かが判断される。その結果、１であると判断された場合（Ｙｅｓ）はステップＳ４６に進み、１ではないと判断された場合（Ｎｏ）はステップＳ６０に進む。
【００３７】
ステップＳ４６では、残りの前手順が行われ、ＤＣＳ信号のＦＩＦのビット６８が１とされる。そして、色空間ＬａｂでのグレースケールＪＰＥＧ送信が実行される（ステップＳ４８）。さらに、後手順が行われ（ステップＳ５０）、ステップＳ６に戻る。
【００３８】
また、ステップＳ４２でｓＹＣＣの色空間が選択された場合、ＤＩＳ信号のＦＩＦのビットＸが１であるか否かが判断される（ステップＳ５２）。その結果、ビットが１であると判断された場合（Ｙｅｓ）はステップＳ５４に進み、ビットが１ではないと判断された場合（Ｎｏ）はステップＳ６０に進む。ステップＳ５４では、残りの前手順が行われ、ＤＣＳ信号のＦＩＦのビットＸが１にされる。
そして、色空間ｓＹＣＣでのグレースケールＪＰＥＧ送信が実行される（ステップＳ５６）。さらに、後手順が行われ（ステップＳ５８）、ステップＳ６に戻る。
【００３９】
一方、ステップＳ６０では、残りの前手順が行われ、ＤＣＳ信号のＦＩＦのビット６８、ビット６９、ビットＸ、ビットＸ＋１が０にされる。そして、モノクロ２値情報の送信が実行される（ステップＳ６２）。さらに、後手順が行われ（ステップＳ６４）、ステップＳ６に戻る。
【００４０】
［ファクシミリ受信］
ステップＳ１０でファクシミリ受信が選択されたと判断された場合、バス２６を介してＮＣＵ２のＣＭＬをオンする（ステップＳ６６）。そして、前手順が行われ、ＤＩＳ信号のＦＩＦのビット６８、ビット６９、ビットＸ、ビットＸ＋１が１にされる（ステップＳ６７）。さらに、指定されたモードでの画信号の受信／記録が行われる（ステップＳ７０）。その後、後手順が行われ（ステップＳ７２）、ステップＳ６に戻る。
【００４１】
以上説明したように、第１の実施形態に係るファクシミリ装置の通信制御により、色空間Ｌａｂのグレースケール情報の送信、色空間ｓＹＣＣのグレースケール情報の送信が可能になり、ユーザニーズに合致したグレースケール情報の通信を確実に実行することができ、ユーザにとって大変使い易いファクシミリ装置を提供することができる。
【００４２】
＜第２の実施形態＞
上述した第１の実施形態において、グレースケール情報の送信が選択されている時、ＰＳＴＮ（Ｐｕｂｌｉｃ　Ｓｗｉｔｃｈｅｄ　Ｄａｔａ　Ｎｅｔｗｏｒｋ：公衆データ交換網）でのファクシミリ送信では、色空間Ｌａｂでのグレースケール情報の送信を行わせ、ＬＡＮを介したメール送信では、色空間ｓＹＣＣでのグレースケール情報の送信を行わせるようにしてもよい。
【００４３】
図７、８は、第２の実施形態におけるファクシミリ装置の通信制御の流れにおいて、図３〜６に示した第１の実施形態におけるファクシミリ装置の通信制御の流れを説明するフローチャートと異なる部分を説明するための図である。
【００４４】
図７（ａ）において、ステップＳ８０は図３におけるステップＳ２０のＹｅｓの場合を表しており、この場合、ステップＳ２６の処理であるＤＩＳ信号のＦＩＦのビット６８とビット６９が共に１であるか否かを判断する（ステップＳ８２）。
【００４５】
また、図７（ｂ）において、ステップＳ８４は、図３のステップＳ２２のＹｅｓの場合を表しており、この場合、ステップＳ４４の処理であるＤＩＳ信号のＦＩＦのビット６８が１であるかどうかが判断される（ステップＳ８６）。
【００４６】
さらに、図７（ｃ）において、ステップＳ８８は、図３のステップＳ１２のその他の処理の実行を表している。そして、当該処理の後、ネットワークを介した送信が選択されたか否かが判断される（ステップＳ９０）。その結果、ネットワークを介した送信が選択されたと判断された場合（Ｙｅｓ）はステップＳ９４に進み、選択されていないと判断された場合（Ｎｏ）はステップＳ９２（図１におけるステップＳ６）に戻る。
【００４７】
ステップＳ９４では、カラー情報の送信が選択されたか否かが判断される。そして、選択されたと判断された場合（Ｙｅｓ）はステップＳ９６に進み、選択されていないと判断された場合（Ｎｏ）はステップＳ９２に戻る。ここで、ステップＳ９６は、色空間ｓＹＣＣのフルカラーＪＰＥＧ符号化情報をＭＩＮＥ（Ｍｕｌｔｉｐｕｒｐｏｓｅ　Ｉｎｔｅｒｎｅｔ　Ｍａｉｌ　Ｅｘｔｅｎｓｉｏｎｓ）でＴｉｆｆ（Ｔａｇｇｅｄ　Ｉｍａｇｅ　Ｆｉｌｅ　Ｆｏｒｍａｔ）フォーマット化してＳＭＴＰ（Ｓｉｍｐｌｅ　Ｍａｉｌ　Ｔｒａｎｓｆｅｒ　Ｐｒｏｔｏｃｏｌ）で送信することを表している。また、ステップＳ９８は図１におけるステップＳ６と同一の処理（すなわち、ＣＭＬオフ）を表している。
【００４８】
また、ステップＳ９８の処理の後、図８に示すように、グレースケール情報の送信が選択されたか否かが判断される（ステップＳ１００）。その結果、グレースケール情報の送信が選択されたと判断された場合（Ｙｅｓ）はステップＳ１０２に進み、選択されたと判断されなかった場合（Ｎｏ）はステップＳ１０４に進む。
【００４９】
ステップＳ１０２では、色空間ｓＹＣＣのグレースケールＪＰＥＧ符号化情報をＭＩＮＥでＴｉｆｆフォーマット化してＳＭＴＰで送信する。一方、ステップＳ１０４では、モノクロ情報をＭＩＮＥでＴｉｆｆフォーマット化してＳＭＴＰで送信する。尚、ステップＳ１０２、Ｓ１０４の処理の後、ステップＳ９２に戻る。
【００５０】
上述したように、第２の実施形態に係るファクシミリ装置の通信制御によって、ＰＳＴＮでのファクシミリ送信、あるいは、ＬＡＮを介したメール送信により、色空間Ｌａｂのグレースケール送信、色空間ｓＹＣＣのグレースケール送信を自動選択することができ、ユーザにとって大変使い易いファクシミリ装置を提供することができる。
【００５１】
＜その他の実施形態＞
尚、本発明は、複数の機器（例えば、ホストコンピュータ、インタフェース機器、リーダ、プリンタ等）から構成されるシステムに適用しても、一つの機器からなる装置（例えば、複写機、ファクシミリ装置等）に適用してもよい。
【００５２】
また、本発明の目的は、前述した実施形態の機能を実現するソフトウェアのプログラムコードを記録した記録媒体（または記憶媒体）を、システムあるいは装置に供給し、そのシステムあるいは装置のコンピュータ（またはＣＰＵやＭＰＵ）が記録媒体に格納されたプログラムコードを読み出し実行することによっても、達成されることは言うまでもない。この場合、記録媒体から読み出されたプログラムコード自体が前述した実施形態の機能を実現することになり、そのプログラムコードを記録した記録媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００５３】
さらに、記録媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００５４】
本発明を上記記録媒体に適用する場合、その記録媒体には、先に説明したフローチャートに対応するプログラムコードが格納されることになる。
【００５５】
本発明の実施態様の例を以下に列挙する。
【００５６】
【実施態様１】カラー情報又はグレースケール情報を通信する通信制御方法において、
受信機から送信機に対して、
色空間ＬａｂでのＪＰＥＧ符号化情報の受信機能の有無を通知し、
色空間Ｌａｂでのフルカラー情報の受信機能の有無を通知し、
色空間ｓＹＣＣでのＪＰＥＧ符号化情報の受信機能の有無を通知し、
色空間ｓＹＣＣでのフルカラー情報の受信機能の有無を通知し、
前記送信機から前記受信機に対して、
色空間ＬａｂでのＪＰＥＧ符号化情報の送信を指定し、
色空間Ｌａｂでのフルカラー情報の送信を指定し、
色空間ｓＹＣＣでのＪＰＥＧ符号化情報の送信を指定し、
色空間ｓＹＣＣでのフルカラー情報の送信を指定する通信制御方法であって、前記送信機が、色空間Ｌａｂでのグレースケール情報を送信する場合は、前記受信機に対して色空間ＬａｂでのＪＰＥＧ符号化情報の送信を指定し、色空間ｓＹＣＣでのグレースケール情報を送信する場合は、前記受信機に対して色空間ｓＹＣＣでのＪＰＥＧ符号化情報の送信を指定する
ことを特徴とする通信制御方法。
【００５７】
【実施態様２】前記送信機が、
色空間Ｌａｂでのフルカラー情報を送信する場合は、前記受信機に対して色空間ＬａｂでのＪＰＥＧ符号化情報の送信及び色空間Ｌａｂでのフルカラー情報の送信を指定し、
色空間ｓＹＣＣでのフルカラー情報を送信する場合は、前記受信機に対して色空間ｓＹＣＣでのＪＰＥＧ符号化情報の送信及び色空間ｓＹＣＣでのフルカラー情報の送信を指定する
ことを特徴とする実施態様１記載の通信制御方法。
【００５８】
【実施態様３】前記送信機がグレースケール情報を送信する場合に、
ＰＳＴＮでのファクシミリ送信では、前記受信機に対して色空間Ｌａｂでのグレースケール情報を送信し、
ＬＡＮを介したメール送信では、前記受信機に対して色空間ｓＹＣＣでのグレースケール情報を送信する
ことを特徴とする実施態様１又は２に記載の通信制御方法。
【００５９】
【実施態様４】カラー情報又はグレースケール情報を通信する通信制御装置であって、
送信機に対して、
受信機の色空間ＬａｂでのＪＰＥＧ符号化情報の受信機能の有無を通知する手段と、
受信機の色空間Ｌａｂでのフルカラー情報の受信機能の有無を通知する手段と、
受信機の色空間ｓＹＣＣでのＪＰＥＧ符号化情報の受信機能の有無を通知する手段と、
受信機の色空間ｓＹＣＣでのフルカラー情報の受信機能の有無を通知する手段と、
受信機に対して、
色空間ＬａｂでのＪＰＥＧ符号化情報の送信を指定する手段と、
色空間Ｌａｂでのフルカラー情報の送信を指定する手段と、
色空間ｓＹＣＣでのＪＰＥＧ符号化情報の送信を指定する手段と、
色空間ｓＹＣＣでのフルカラー情報の送信を指定する手段とを備え、
前記送信機が、色空間Ｌａｂでのグレースケール情報を送信する場合は、前記受信機に対して色空間ＬａｂでのＪＰＥＧ符号化情報の送信を指定し、色空間ｓＹＣＣでのグレースケール情報を送信する場合は、前記受信機に対して色空間ｓＹＣＣでのＪＰＥＧ符号化情報の送信を指定することを特徴とする通信制御装置。
【００６０】
【実施態様５】前記送信機が、
色空間Ｌａｂでのフルカラー情報を送信する場合は、色空間ＬａｂでのＪＰＥＧ符号化情報の送信及び色空間Ｌａｂでのフルカラー情報の送信を指定し、
色空間ｓＹＣＣでのフルカラー情報を送信する場合は、色空間ｓＹＣＣでのＪＰＥＧ符号化情報の送信及び色空間ｓＹＣＣでのフルカラー情報の送信を指定する
ことを特徴とする実施態様４記載の通信制御装置。
【００６１】
【実施態様６】前記送信機がグレースケール情報を送信する場合に、
ＰＳＴＮでのファクシミリ送信では、色空間Ｌａｂでのグレースケール情報を送信し、
ＬＡＮを介したメール送信では、色空間ｓＹＣＣでのグレースケール情報を送信する
ことを特徴とする実施態様４又は５に記載の通信制御装置。
【００６２】
【発明の効果】
以上説明したように、本発明によれば、色空間Ｌａｂ又は色空間ｓＹＣＣのグレースケール情報の送信が可能であって、ユーザニーズに合致したグレースケール情報の通信を確実に実行することができる。
【図面の簡単な説明】
【図１】本発明の第１の実施形態に係るファクシミリ装置の構成を示すブロック図である。
【図２】本発明の第１の実施形態において用いられる既存の又は新規にＩＴＵ−Ｔ勧告Ｔ．３０に追加するプロトコルを示す図である。
【図３】本発明の第１の実施形態に係るファクシミリ装置における通信制御の流れを説明するためのフローチャートである。
【図４】本発明の第１の実施形態に係るファクシミリ装置における通信制御の流れを説明するためのフローチャートである。
【図５】本発明の第１の実施形態に係るファクシミリ装置における通信制御の流れを説明するためのフローチャートである。
【図６】本発明の第１の実施形態に係るファクシミリ装置における通信制御の流れを説明するためのフローチャートである。
【図７】第２の実施形態におけるファクシミリ装置の通信制御の流れにおいて、図３〜６に示した第１の実施形態におけるファクシミリ装置の通信制御の流れを説明するフローチャートと異なる部分を説明するための図である。
【図８】第２の実施形態におけるファクシミリ装置の通信制御の流れにおいて、図３〜６に示した第１の実施形態におけるファクシミリ装置の通信制御の流れを説明するフローチャートと異なる部分を説明するための図である。
【符号の説明】
２　ＮＣＵ
４　電話機
６　ハイブリッド回路
８　変復調器
１０　発呼回路
１２　加算回路
１４　読み取り回路
１６　記録回路
１８　メモリ回路
２０　操作部
２２　ＣＰＵ
２４　ＲＯＭ
２６　バス
２８　カードインタフェース
３０　コンパクトフラッシュカード
３２　ネットワークインタフェース
３３　ＬＡＮ
【図１】
2004140462.tif 000003
【図２】
2004140462.tif 000004
【図３】
2004140462.tif 000005
【図４】
2004140462.tif 000006
【図５】
2004140462.tif 000007
【図６】
2004140462.tif 000008
【図７】
2004140462.tif 000009
【図８】
2004140462.tif 000010